(57)【要約】  光分波機能部７１により分波された光信号を光減衰する光減衰部７３と、光減衰部７３を用いて、光信号に対応する送信ポートのＩＤ番号を重畳する変調回路７５と、受信ポートを介して受信した光信号の光レベルを検出する光受信検出回路８４と、光受信検出回路８４により検出された光レベルからＩＤ番号を抽出する復調回路８５と、復調回路８５により抽出されたＩＤ番号が、設定したＩＤ番号と一致しているかを判定するＩＤ番号管理部９１と、ＩＤ番号管理部９１によりＩＤ番号が不一致であると判定された場合に、光パッチケーブル１４の誤接続を通知する通知部９とを備えた。
2011161891.tif 000002
【特許請求の範囲】
【請求項１】
受信した光信号に対して分波を行い、光パッチケーブルが接続された送信ポートを介して光信号を送信する光分波機能部と、前記光パッチケーブルが接続された受信ポートを介して受信した光信号に対して合波を行う光合波機能部とからなる光合分波部を備えたＯＡＤＭ装置において、
前記光合分波部は、
前記光分波機能部により分波された光信号を光減衰する光減衰部と、
前記光減衰部を用いて、前記光信号に、対応する前記送信ポートのＩＤ番号を重畳する変調回路と、
前記受信ポートを介して受信した光信号の光レベルを検出する光受信検出回路と、
前記光受信検出回路により検出された光レベルからＩＤ番号を抽出する復調回路と、
前記復調回路により抽出されたＩＤ番号が、設定したＩＤ番号と一致しているかを判定するＩＤ番号管理部と、
前記ＩＤ番号管理部によりＩＤ番号が不一致であると判定された場合に、前記光パッチケーブルの誤接続を通知する通知部と
を備えたことを特徴とするＯＡＤＭ装置。
【請求項２】
前記変調回路は、前記光受信検出回路により検出された光レベルに基づいて前記受信ポートで光信号の受信が断状態であると判定した場合に、当該光信号に、対応する送信ポートのＩＤ番号を重畳する
ことを特徴とする請求項１記載のＯＡＤＭ装置。
【請求項３】
前記光合分波部は複数段接続され、
各段の前記光減衰部は、前段の変調回路によってＩＤ番号が重畳された光信号の光レベル変動を抑制する
ことを特徴とする請求項１記載のＯＡＤＭ装置。
【請求項４】
前記光合分波部は複数段接続され、
各段の前記変調回路は、前記光信号にＩＤ番号を時分割多重する
ことを特徴とする請求項２記載のＯＡＤＭ装置。
【発明の詳細な説明】
【技術分野】
【０００１】
この発明は、波長多重伝送技術を用いて光信号を伝送するＯＡＤＭ（Ｏｐｔｉｃａｌ  Ａｄｄ−Ｄｒｏｐ  Ｍｕｌｔｉｐｌｅｘｅｒ）装置において、その装置内で使用する光パッチケーブル接続の監視を行うＯＡＤＭ装置に関するものである。
【背景技術】
【０００２】
波長多重伝送（ＷＤＭ：Ｗａｖｅｌｅｎｇｔｈ  Ｄｉｖｉｓｉｏｎ  Ｍｕｌｔｉｐｌｅｘ）技術を用いるＯＡＤＭ装置を使用した波長多重光信号ネットワークでは、現状は数台から十数台程度のＯＡＤＭ装置から構成されるリング内に閉じたパス設定で運用を行っている。しかしながら、実際には、このリングは複数存在し、その複数のリングが数珠つなぎに連なった形で構成されている。そのため、今後は、この複数のリングを跨ぐ、より大きなパス設定で運用を実施する要求が生じており、この目的を実現するための手段として、波長選択スイッチ（ＷＳＳ：Ｗａｖｅｌｅｎｇｔｈ  Ｓｅｌｅｃｔ  Ｓｗｉｔｃｈ）が着目されている。【０００３】
一方、ＯＡＤＭなどの波長多重伝送装置では、光信号の分波を行う光分波部と光信号の合波を行う光合波部との間、光分波部と光合波部とからなる光合分波部と他装置に接続するためのインタフェース部との間などは、光パッチケーブルにより接続されている。しかしながら、この光パッチケーブルの接続作業は、工事作業者による手作業が前提となるため、作業誤りによる誤接続の検出は、迅速な建設や万が一の障害からの復旧時などにおいて、極めて大きな課題であった。【０００４】
ここで、光合分波部において、波長多重光信号を個別波長に波長分離する、あるいは逆に、個別波長の光信号を波長多重化する場合、光信号の伝送は一方路のみであるため、光分波部の送信ポートと光合波部の受信ポートの対応関係は１対１であり、システムにて事前かつ機械的に決まっている。そのため、工事作業者は、この機械的に決められている２つのポート間に光パッチケーブルを誤りなく接続すれば良い。【０００５】
このようなＯＡＤＭ装置では、光分波部の送信ポートから送信された光信号の光レベルと、光合波部の受信ポートに受信された光信号の光レベルとを検出・比較することによって、光パッチケーブルの誤接続を検出している。具体的には、まず、例えば送信ポートａと受信ポートａとを光パッチケーブルａを用いて接続した後、この送信ポートａと受信ポートａでの光レベルを検出・比較する。ここで、両者の光レベルが妥当な値である場合には光パッチケーブルａは正常接続であると判定し、妥当な値ではない場合には誤接続であると判定する。次いで、次の送信ポートｂと受信ポートｂとを光パッチケーブルｂを用いて接続をして、この送信ポートｂと受信ポートｂでの光レベルを検出・比較を行い、光パッチケーブルｂの接続状態を判定する。以下同様にして、すべての光パッチケーブルに対して誤接続の検出を行う（例えば特許文献１参照）。【０００６】
しかしながら、光合分波部が波長選択スイッチを有する場合には、波長多重光信号を波長毎に波長分離するかしないかを選択することができるため、各ポートに複数本の波長（送信ｎ／受信ｎ）の光信号を伝送するように設定することが可能となる。この設定では任意のポートを指定することが可能であり、光信号を多方路に伝送することが可能になる。したがって、光パッチケーブルを接続するポートが一意に機械的には定まることはなく、上記のような光レベルの検出・比較だけでは、光パッチケーブルの誤接続を検出することができない。【０００７】
そこで、このような波長選択スイッチを有するＯＡＤＭ装置に対して、光分波部から送信される光信号に光増幅器を用いて送信ポートのＩＤ番号を重畳し、光合波部の受信ポートに受信された光信号からＩＤ番号を抽出することによって、光増幅器単位で光パッチケーブルの誤接続検出を行っている（例えば特許文献２参照）。
【先行技術文献】
【特許文献】
【０００８】
【特許文献１】特開２００７−５７６４２号公報
【特許文献２】特開２００４−４０２４１号公報
【発明の概要】
【発明が解決しようとする課題】
【０００９】
しかしながら、この特許文献２に開示されるＯＡＤＭ装置では、光増幅器を用いてＩＤ番号を重畳しているため、波長を分離する毎にこの光増幅器が必要となり、極めて高価かつ小型化が困難であり、波長単位の制御を行うことは極めて困難であるという課題がある。【００１０】
この発明は、上記のような課題を解決するためになされたもので、光合分波部の送受信ポートを任意に設定することが可能なＯＡＤＭ装置においても、安価な方法で光パッチケーブルの誤接続を検出することで、装置の迅速な設営や万が一の障害からの復旧時間の短縮に寄与することができるＯＡＤＭ装置を提供することを目的としている。
【課題を解決するための手段】
【００１１】
この発明に係るＯＡＤＭ装置は、光分波機能部により分波された光信号を光減衰する光減衰部と、光減衰部を用いて、光信号に、対応する送信ポートのＩＤ番号を重畳する変調回路と、受信ポートを介して受信した光信号の光レベルを検出する光受信検出回路と、光受信検出回路により検出された光レベルからＩＤ番号を抽出する復調回路と、復調回路により抽出されたＩＤ番号が、設定したＩＤ番号と一致しているかを判定するＩＤ番号管理部と、ＩＤ番号管理部によりＩＤ番号が不一致であると判定された場合に、光パッチケーブルの誤接続を通知する通知部とを備えたものである。
【発明の効果】
【００１２】
この発明によれば、上記のように構成したので、光分波機能部により分波された光信号を光減衰する光減衰部と、光減衰部を用いて、光信号に、対応する送信ポートのＩＤ番号を重畳する変調回路と、受信ポートを介して受信した光信号の光レベルを検出する光受信検出回路と、光受信検出回路により検出された光レベルからＩＤ番号を抽出する復調回路と、復調回路により抽出されたＩＤ番号が、設定したＩＤ番号と一致しているかを判定するＩＤ番号管理部と、ＩＤ番号管理部によりＩＤ番号が不一致であると判定された場合に、光パッチケーブルの誤接続を通知する通知部とを備えたことで、光号分波部の送受信ポートを任意に設定することが可能なＯＡＤＭ装置においても、安価な方法で光パッチケーブルの誤接続を検出することができ、装置の迅速な設営や万が一の障害からの復旧時間の短縮に寄与することができる。
【図面の簡単な説明】
【００１３】
【図１】この発明の実施の形態１に係るＯＡＤＭ装置の構成を示す図である。
【図２】この発明の実施の形態１に係るＯＡＤＭ装置のＩＤ番号の重畳を説明する図である。
【図３】この発明の実施の形態１に係るＯＡＤＭ装置の基本動作を示すフローチャートである。
【図４】この発明の実施の形態１に係るＯＡＤＭ装置の接続状態判定動作を示すフローチャートである。
【図５】この発明の実施の形態２に係るＯＡＤＭ装置のＩＤ番号の重畳を説明する図である。
【図６】この発明の実施の形態４に係るＯＡＤＭ装置のＩＤ番号の重畳を説明する図である。
【発明を実施するための形態】
【００１４】
以下、この発明の実施の形態について図面を参照しながら詳細に説明する。
実施の形態１．
図１はこの発明の実施の形態１に係るＯＡＤＭ装置１の構成を示す図である。
ＯＡＤＭ装置１は、図１に示すように、受信光増幅部２、信号送信部（ＴＸ）３、信号受信部（ＲＸ）４、光合分波部５および送信光増幅部６から構成される。
【００１５】
受信光増幅部２は、伝送路１０１を介して上流のＯＡＤＭ装置（不図示）から受信した波長多重光信号に対して、伝送路１０１による光レベルの損失に応じて、光増幅を行うものである。この受信光増幅部２により光増幅された波長多重光信号は光パッチケーブル１０を介して光合分波部５に送信される。
【００１６】
信号送信部３は、特定の波長の光信号を光パッチケーブル１２を介して光合分波部５に送信するものである。なお、信号送信部３では、送信する光信号に、対応する送信ポートのＩＤ番号を重畳している。
信号受信部４は、光合分波部５により分波された特定の波長の光信号を光パッチケーブル１３を介して受信するものである。なお、信号受信部４では、受信した光信号の光レベルを検出して、ＩＤ番号を抽出している。この抽出したＩＤ番号は後述するＩＤ番号管理部９１に送信される。
【００１７】
光合分波部５は、光パッチケーブル１０を介して受信光増幅部２から受信した波長多重光信号を合分波するものである。この光合分波部５は、光分波部７、光合波部８および装置制御部９から構成される。
【００１８】
光分波部７は、光パッチケーブル１０を介して受信光増幅部２から受信した波長多重光信号を分波するものである。この光分波部７は、波長選択スイッチ（ＷＳＳ、光分波機能部）７１、第１可変光減衰部（ＶＯＡ）７２、第２可変光減衰部（ＶＯＡ）７３、減衰部制御回路７４および変調回路７５から構成される。
【００１９】
波長選択スイッチ７１は、光パッチケーブル１０を介して受信光増幅部２から受信した波長多重光信号を各波長の光信号に分波し、特定波長（波長ａ）の光信号を抽出して、特定波長以外の波長の光信号を再び波長多重化するものである。この波長選択スイッチ７１により抽出された特定波長の光信号は第１可変光減衰部７２に送信され、特定波長以外の波長の波長多重光信号は第２可変光減衰部７３に送信される。
【００２０】
第１可変光減衰部７２は、光レベルの補正、運用開始前の回線の遮断などの目的で、減衰部制御回路７４による制御に従い、波長選択スイッチ７１から受信した光信号を光減衰するものである。この第１可変光減衰部７２により光減衰された光信号は光パッチケーブル１３を介して信号受信部４に送信される。
【００２１】
第２可変光減衰部７３は、光レベルの補正、運用開始前の回線の遮断などの目的で、減衰部制御回路７４による制御に従い、波長選択スイッチ７１から受信した波長多重光信号を光減衰するものである。この第２可変光減衰部７３により光減衰された波長多重光信号は光パッチケーブル１４を介して光合波部８に送信される。
【００２２】
減衰部制御回路７４は、可変光減衰部７２，７３の光減衰量を制御するものである。この減衰部制御回路７４は、一般的にはＦＰＧＡ（Ｆｉｅｌｄ  Ｐｒｏｇｒａｍｍａｂｌｅ  Ｇａｔｅ  Ａｒｒａｙ）などで構成され、装置制御部９のＣＰＵへのインタフェース機能も有している。
【００２３】
変調回路７５は、可変光減衰部７２，７３を用いて、波長多重光信号および光信号に、対応する送信ポートのＩＤ番号を振幅変調（ＡＳＫ：Ａｍｐｌｉｔｕｄｅ−ｓｈｉｆｔ  ｋｅｙｉｎｇ）により重畳するものである。
なお、このＩＤ番号は、使用する送信ポート数を表現可能なビット数を有すれば良いため、極めて低レートな信号で伝送することが可能である（例えば、ポート数が３２ポートの場合、２進数で表現すると５ビット＋誤りチェックビットで実現することが可能である）。
【００２４】
図２はこの発明の実施の形態１に係るＯＡＤＭ装置１のＩＤ番号の重畳を説明する（ａ）波長選択スイッチ７１出力を示す図であり、（ｂ）変調回路７５出力を示す図であり、（ｃ）光分波部７出力を示す図である。
図２（ａ）に示す波長選択スイッチ７１からの波長多重光信号および光信号に対して、図２（ｂ）に示す変調回路７５による振幅変調を行うことによって、図２（ｃ）に示すように、対応する送信ポートのＩＤ番号を重畳することができる。
なお、減衰部制御回路７４では、外乱により装置外部から受信される光信号に対して、この外乱の影響を小さくするために変動量を補正する制御も行っている。そのため、ＯＡＤＭ装置１は、可変光減衰部７２，７３出力に若干の変動があっても問題とならないように設計されている。したがって、図２に示すように、意図的に可変光減衰部７２，７３を用いて波長多重光信号および光信号に対して、定められた規定内の光レベルの変動を行なったとしても問題はない。
【００２５】
また、光合波部８は、光パッチケーブル１２を介して信号送信部３から受信した光信号と、光パッチケーブル１４を介して光分波部７から受信した波長多重光信号とを合波するものである。この光合波部８は、第１光分岐回路８１、第２光分岐回路８２、波長選択スイッチ（ＷＳＳ、光分波機能部）８３、光受信検出回路８４および復調回路８５から構成される。
【００２６】
第１光分岐回路８１は、光パッチケーブル１２を介して信号送信部３から受信した特定の波長の光信号を分岐するものである。この第１光分岐回路８１により分岐された一方の光信号は波長選択スイッチ８３に送信され、他方の光信号は光受信検出回路８４に送信される。
【００２７】
第２光分岐回路８２は、光パッチケーブル１４を介して光分波部７から受信した波長多重光信号を分岐するものである。この第２光分岐回路８２により分岐された一方の波長多重光信号は波長選択スイッチ８３に送信され、他方の波長多重光信号は光受信検出回路８４に送信される。
【００２８】
波長選択スイッチ８３は、第１光分岐回路８１から受信した光信号と第２光分岐回路８２から受信した波長多重光信号とを合波するものである。この波長選択スイッチ８３により合波された波長多重光信号は光パッチケーブル１１を介して送信光増幅部６に送信される。
【００２９】
光受信検出回路８４は、第１光分岐回路８１から受信した光信号および第２光分岐回路８２から受信した波長多重光信号の光レベルを検出する光受光素子を有するものである。この光受信検出回路８４は、ＦＰＧＡなどで構成され、装置制御部９のＣＰＵへのインタフェース機能も有している。
なお、光受信検出回路８４が有する光受光素子は、振幅に対するダイナミックレンジを有していればよく、極めて安価な部品を使用できるため、低コストで実現可能とすることが可能である。
【００３０】
復調回路８５は、光受信検出回路８４により検出された光レベルからＩＤ番号を抽出するものである。この復調回路８５により抽出されたＩＤ番号は装置制御部９に送信される。
【００３１】
装置制御部９は、ＯＡＤＭ装置１全体を管理するものであり、減衰部制御回路７４および光受信検出回路８４の信号処理・制御などを行うものである。この装置制御部９は、ＩＤ番号管理部９１を備えている。また、装置制御部９は、ＩＤ番号管理部９１によるＩＤ番号の不一致判定に応じて、保守運用者にＴＩＭ（Ｔｒａｃｅ  Ｉｄｅｎｔｉｆｉｅｒ  Ｍｉｓｍａｔｃｈ）あるいはファイバ断警報として通知を行う通知部としての機能も有している。
【００３２】
ＩＤ番号管理部９１は、復調回路８５および信号受信部４により抽出されたＩＤ番号と、予め設定した期待値（ＩＤ番号）とを比較して両者が一致しているかを判定するものである。ここで、ＩＤ番号管理部９１はＩＤ番号と期待値とが不一致であると判定した場合には、装置制御部９にその旨を通知する。
【００３３】
送信光増幅部６は、波長選択スイッチ８３から受信した波長多重光信号を光合分波部５による光レベルの損失に応じて光増幅するものである。この送信光増幅部６により光増幅された波長多重光信号は伝送路１０２を介して下流のＯＡＤＭ装置（不図示）に送出される。
【００３４】
次に、上記のように構成されたＯＡＤＭ装置１の基本動作について説明する。図３はこの発明の実施の形態１に係るＯＡＤＭ装置１の基本動作を示すフローチャートである。
ＯＡＤＭ装置１の基本動作は、図３に示すように、まず、受信光増幅部２は、伝送路１０１を介して上流のＯＡＤＭ装置から受信した波長多重光信号を伝送路１０１による光レベルの損失に応じて光増幅する（ステップＳＴ３１）。この受信光増幅部２により光増幅された波長多重光信号は光パッチケーブル１０を介して波長選択スイッチ７１に送信される。
【００３５】
次いで、波長選択スイッチ７１は、光パッチケーブル１０を介して受信光増幅部２から受信した波長多重光信号を、特定波長の光信号と、それ以外の波長の波長多重光信号とに分波する（ステップＳＴ３２）。この波長選択スイッチ７１により抽出された特定波長の光信号は第１可変光減衰部７２に送信され、特定波長以外の波長の波長多重光信号は第２可変光減衰部７３に送信される。
【００３６】
次いで、可変光減衰部７２，７３は、減衰部制御回路７４による制御に従い、波長選択スイッチ７１から受信した波長多重光信号および光信号を光減衰する（ステップＳＴ３３）。なお、可変光減衰部７２，７３は、光減衰を行う際に、変調回路７５によって、波長多重光信号および光信号に、対応する送信ポートのＩＤ番号を振幅変調により重畳する。この可変光減衰部７２，７３により光減衰され、ＩＤ番号が重畳された光信号は光パッチケーブル１３を介して信号受信部４に送信され、波長多重光信号は光パッチケーブル１４、第２光分岐回路８２を介して波長選択スイッチ８３に送信される。
【００３７】
次いで、波長選択スイッチ８３は、光パッチケーブル１２を介して信号送信部３から受信した光信号と、光分波部７から受信した波長多重光信号とを合波する（ステップＳＴ３４）。この波長選択スイッチ８３により合波された波長多重光信号は光パッチケーブル１１を介して送信光増幅部６に送信される。なお、信号送信部３から受信した光信号にも、対応する送信ポートのＩＤ番号が重畳されている。
【００３８】
次いで、送信光増幅部６は、波長選択スイッチ８３から受信した波長多重光信号を光合分波部５による光レベルの損失に応じて光増幅し、伝送路１０２を介して下流のＯＡＤＭ装置に送出する（ステップＳＴ３５）。
【００３９】
次に、ＯＡＤＭ装置１の接続状態判定動作について説明する。図４はこの発明の実施の形態１に係るＯＡＤＭ装置１の接続状態判定動作を示すフローチャートである。
ＯＡＤＭ装置１の接続状態判定動作では、図４に示すように、まず、光受信検出回路８４は、第１光分岐回路８１から受信した光信号および第２光分岐回路８２から受信した波長多重光信号の光レベルを検出する（ステップＳＴ４１）。この光受信検出回路８４により検出された光レベルを示すデータは復調回路８５に送信される。
【００４０】
次いで、復調回路８５は、光受信検出回路８４により検出された光レベルからＩＤ番号を抽出する（ステップＳＴ４２）。この復調回路８５により抽出されたＩＤ番号はＩＤ番号管理部９１に送信される。なお、信号受信部４でも、受信した光信号の光レベルを検出して、ＩＤ番号を抽出している。この信号受信部４により抽出されたＩＤ番号もＩＤ番号管理部９１に送信される。
【００４１】
次いで、ＩＤ番号管理部９１は、復調回路８５および信号受信部４により抽出されたＩＤ番号と予め設定した期待値とを比較して両者が一致しているかを判定する（ステップＳＴ４３）。
【００４２】
このステップＳＴ４３において、ＩＤ番号管理部９１がＩＤ番号と期待値とが一致していると判定した場合には、シーケンスは終了する。
一方、ステップＳＴ４３において、ＩＤ番号管理部９１がＩＤ番号と期待値とが不一致であると判定した場合には、光パッチケーブルが誤接続であると判定して、装置制御部９は、保守運用者にＴＩＭあるいはファイバ断警報として通知する（ステップＳＴ４４）。
【００４３】
以上のように、この実施の形態１によれば、可変光減衰部７２，７３を用いて、波長多重光信号および光信号に対応する送信ポートのＩＤ番号を振幅変調により重畳して、このＩＤ番号の一致判定を行うように構成したので、光合分波部５の送受信ポートを任意に設定することが可能なＯＡＤＭ装置１においても、安価な方法で光パッチケーブル１２〜１４の誤接続を検出することができ、装置の迅速な設営や万が一の障害からの復旧時間の短縮に寄与することができる。また、コストアップを回避しつつ、保守性の向上を図ることが可能となる。
【００４４】
なお、実施の形態１では、ＩＤ番号管理部９１によりＩＤ番号が不一致であると判定された場合に、装置制御部９により保守運用者に対してその旨を通知するように構成したが、減衰部制御回路７４または光受信検出回路８４などにより通知するように構成してもよい。
【００４５】
実施の形態２．
実施の形態１では、光信号に、対応する送信ポートのＩＤ番号を振幅変調により重畳する場合について示した。この方法では、ＯＡＤＭ装置１の設計上は問題ないが、わずかながらとはいえ伝送性能を劣化させる可能性がある。そこで、実施の形態２では、ＯＡＤＭ装置１の建設時や障害復旧時などのように、受信ポートで波長多重光信号または光信号の受信が断状態から復旧した際にのみ、光パッチケーブル１２〜１４の接続状態の判定を行うように構成したものについて示す。
なお、この実施の形態２に係るＯＡＤＭ装置１の構成は、図１に示す実施の形態１に係るＯＡＤＭ装置１と同様の構成であり、以下図１を参照しながら説明を行う。
【００４６】
図５はこの発明の実施の形態２に係るＯＡＤＭ装置１のＩＤ番号の重畳を説明する（ａ）波長選択スイッチ７１出力を示す図であり、（ｂ）変調回路７５出力を示す図であり、（ｃ）光分波部７出力を示す図である。
以下では、光パッチケーブル１４の接続状態判定について説明する。
変調回路７５は、光受信検出回路８４により検出された光レベルに基づいて、受信ポートで波長多重光信号の受信が断状態であると判定した場合に、図５に示すように、可変光減衰部７３を用いて、波長多重光信号に、対応する送信ポートのＩＤ番号をＯＮ／ＯＦＦ変調により重畳する。
【００４７】
その後、受信ポートで波長多重光信号の受信が断状態から復旧すると、復調回路８６は、この波長多重光信号の光レベルからＩＤ番号を抽出することが可能となる。
次いで、ＩＤ番号管理部９１は、復調回路８５により抽出されたＩＤ番号と設定された期待値とを比較して両者が一致しているかを判定する。また、ＩＤ番号管理部９１は、ＩＤ番号の一致判定が終了した際に変調回路７５に対して、ＩＤ番号の重畳を終了する旨を示すＩＤ番号重畳終了通知を行う。
変調回路７５は、ＩＤ番号管理部９からＩＤ番号重畳終了通知を受信した場合には、ＩＤ番号の重畳を終了する。
【００４８】
また、光パッチケーブル１２，１３の接続状態判定についても同様に、受信ポートで光信号の受信が断状態となった場合にＩＤ番号の重畳を行うことで、受信ポートで光信号の断状態から復旧した場合にのみＩＤ番号の一致判定が行われる。
【００４９】
以上のように、この実施の形態２によれば、受信ポートで波長多重光信号（光信号）の受信が断状態である場合に、可変光減衰部７３（７２）を用いて、波長多重光信号（光信号）に、対応する送信ポートのＩＤ番号をＯＮ／ＯＦＦ変調により重畳して、受信ポートで波長多重光信号（光信号）の受信が断状態から復旧した際にのみＩＤ番号の一致判定を行うように構成したので、光合分波部５の送受信ポートを任意に設定することが可能なＯＡＤＭ装置１においても、安価な方法で光パッチケーブル１２〜１４の誤接続を検出することができ、装置の迅速な設営や万が一の障害からの復旧時間の短縮に寄与することができる。また、コストアップを回避しつつ、保守性の向上を図ることが可能となる。
また、この場合のシーケンス制御は、ＦＰＧＡあるいはＣＰＵにてＳ／Ｗ制御にて行われるが、簡易な制御であるため、新たな部品への変更などは必要なく、安価で実現可能である。
【００５０】
実施の形態３．
実施の形態１では、図１に示すように光合分波部５は１段で構成されているが、この光合分波部５が２段以上設けられたｎ段構成となる場合も考えられる。
このようなｎ段構成の光合分波部５を有する場合であっても、そもそも可変光減衰部７２，７３は光レベルの変動を抑制する制御を行っているため、前段の光合分波部５によってＩＤ番号が重畳された波長多重光信号の光レベル変動は抑制される。そのため、前段の光合分波部５においてＩＤ番号の重畳を行った波長多重光信号に対して、後段の光合分波部５においてさらにＩＤ番号の重畳を行うことも可能である。なお、この段数ｎは、光レベルの減衰量の許容範囲内において定めることができる。
【００５１】
実施の形態４．
実施の形態２では、図１に示すように光合分波部５は１段で構成されているが、この光合分波部５が２段以上設けられたｎ段構成となる場合も考えられる。
このようなｎ段構成の光合分波部５を有する場合であっても、図６に示すように、ＩＤ番号を順に時分割多重することによって、各段の光合波部８でのＩＤ番号の抽出が可能である。なお、この段数ｎは、ＩＤ番号管理部９１がＩＤ番号の一致判定が終了した際に変調回路７５に対してＩＤ番号送信終了通知を行うことによって、システム内で任意に定めることが可能である。
【産業上の利用可能性】
【００５２】
以上のように、この発明に係るＯＡＤＭ装置は、装置の迅速な設営や万が一の障害からの復旧時間の短縮に寄与することができるようにしたため、波長多重伝送技術を用いて光信号を伝送するＯＡＤＭ（Ｏｐｔｉｃａｌ  Ａｄｄ−Ｄｒｏｐ  Ｍｕｌｔｉｐｌｅｘｅｒ）装置において、その装置内で使用する光パッチケーブル接続の監視を行うＯＡＤＭ装置等に用いるのに適している。
【符号の説明】
【００５３】
１  ＯＡＤＭ装置、２  受信光増幅部、３  信号送信部、４  信号受信部、５  光合分波部、６  送信光増幅部、７  光分波部、８  光合波部、９  装置制御部（通知部）、１０〜１４  光パッチケーブル、７１  波長選択スイッチ（光合波機能部）、７２  第１可変光減衰部、７３  第２可変光減衰部、７４  減衰部制御回路（通知部）、７５  変調回路、８１  第１光分岐回路、８２  第２光分岐回路、８３  波長選択スイッチ（光分波機能部）、８４  光受信検出回路（通知部）、８５  復調回路、９１  ＩＤ番号管理部、１０１，１０２  伝送路。
【図１】
2011161891.tif 000003
【図２】
2011161891.tif 000004
【図３】
2011161891.tif 000005
【図４】
2011161891.tif 000006
【図５】
2011161891.tif 000007
【図６】
2011161891.tif 000008
【手続補正書】
【提出日】平成25年6月26日(2013.6.26)
【手続補正１】
【補正対象書類名】明細書
【補正対象項目名】全文
【補正方法】変更
【補正の内容】
【発明の詳細な説明】
【技術分野】
【０００１】
この発明は、波長多重伝送技術を用いて光信号を伝送するＯＡＤＭ（Ｏｐｔｉｃａｌ  Ａｄｄ−Ｄｒｏｐ  Ｍｕｌｔｉｐｌｅｘｅｒ）装置において、その装置内で使用する光パッチケーブル接続の監視を行うＯＡＤＭ装置に関するものである。
【背景技術】
【０００２】
波長多重伝送（ＷＤＭ：Ｗａｖｅｌｅｎｇｔｈ  Ｄｉｖｉｓｉｏｎ  Ｍｕｌｔｉｐｌｅｘ）技術を用いるＯＡＤＭ装置を使用した波長多重光信号ネットワークでは、現状は数台から十数台程度のＯＡＤＭ装置から構成されるリング内に閉じたパス設定で運用を行っている。しかしながら、実際には、このリングは複数存在し、その複数のリングが数珠つなぎに連なった形で構成されている。そのため、今後は、この複数のリングを跨ぐ、より大きなパス設定で運用を実施する要求が生じており、この目的を実現するための手段として、波長選択スイッチ（ＷＳＳ：Ｗａｖｅｌｅｎｇｔｈ  Ｓｅｌｅｃｔ  Ｓｗｉｔｃｈ）が着目されている。
【０００３】
一方、ＯＡＤＭなどの波長多重伝送装置では、光信号の分波を行う光分波部と光信号の合波を行う光合波部との間、光分波部と光合波部とからなる光合分波部と他装置に接続するためのインタフェース部との間などは、光パッチケーブルにより接続されている。しかしながら、この光パッチケーブルの接続作業は、工事作業者による手作業が前提となるため、作業誤りによる誤接続の検出は、迅速な建設や万が一の障害からの復旧時などにおいて、極めて大きな課題であった。
【０００４】
ここで、光合分波部において、波長多重光信号を個別波長に波長分離する、あるいは逆に、個別波長の光信号を波長多重化する場合、光信号の伝送は一方路のみであるため、光分波部の送信ポートと光合波部の受信ポートの対応関係は１対１であり、システムにて事前かつ機械的に決まっている。そのため、工事作業者は、この機械的に決められている２つのポート間に光パッチケーブルを誤りなく接続すれば良い。
【０００５】
このようなＯＡＤＭ装置では、光分波部の送信ポートから送信された光信号の光レベルと、光合波部の受信ポートに受信された光信号の光レベルとを検出・比較することによって、光パッチケーブルの誤接続を検出している。具体的には、まず、例えば送信ポートａと受信ポートａとを光パッチケーブルａを用いて接続した後、この送信ポートａと受信ポートａでの光レベルを検出・比較する。ここで、両者の光レベルが妥当な値である場合には光パッチケーブルａは正常接続であると判定し、妥当な値ではない場合には誤接続であると判定する。次いで、次の送信ポートｂと受信ポートｂとを光パッチケーブルｂを用いて接続をして、この送信ポートｂと受信ポートｂでの光レベルを検出・比較を行い、光パッチケーブルｂの接続状態を判定する。以下同様にして、すべての光パッチケーブルに対して誤接続の検出を行う（例えば特許文献１参照）。
【０００６】
しかしながら、光合分波部が波長選択スイッチを有する場合には、波長多重光信号を波長毎に波長分離するかしないかを選択することができるため、各ポートに複数本の波長（送信ｎ／受信ｎ）の光信号を伝送するように設定することが可能となる。この設定では任意のポートを指定することが可能であり、光信号を多方路に伝送することが可能になる。したがって、光パッチケーブルを接続するポートが一意に機械的には定まることはなく、上記のような光レベルの検出・比較だけでは、光パッチケーブルの誤接続を検出することができない。
【０００７】
そこで、このような波長選択スイッチを有するＯＡＤＭ装置に対して、光分波部から送信される光信号に光増幅器を用いて送信ポートのＩＤ番号を重畳し、光合波部の受信ポートに受信された光信号からＩＤ番号を抽出することによって、光増幅器単位で光パッチケーブルの誤接続検出を行っている（例えば特許文献２参照）。
【先行技術文献】
【特許文献】
【０００８】
【特許文献１】特開２００７−５７６４２号公報
【特許文献２】特開２００４−４０２４１号公報
【発明の概要】
【発明が解決しようとする課題】
【０００９】
しかしながら、この特許文献２に開示されるＯＡＤＭ装置では、光増幅器を用いてＩＤ番号を重畳しているため、波長を分離する毎にこの光増幅器が必要となり、極めて高価かつ小型化が困難であり、波長単位の制御を行うことは極めて困難であるという課題がある。
【００１０】
この発明は、上記のような課題を解決するためになされたもので、光合分波部の送受信ポートを任意に設定することが可能なＯＡＤＭ装置においても、安価な方法で光パッチケーブルの誤接続を検出することで、装置の迅速な設営や万が一の障害からの復旧時間の短縮に寄与することができるＯＡＤＭ装置を提供することを目的としている。
【課題を解決するための手段】
【００１１】
この発明に係るＯＡＤＭ装置は、光分波機能部により分波された光信号を光減衰する光減衰部と、光減衰部を用いて、光信号に、対応する送信ポートのＩＤ番号を重畳する変調回路と、受信ポートを介して受信した光信号の光レベルを検出する光受信検出回路と、光受信検出回路により検出された光レベルからＩＤ番号を抽出する復調回路と、復調回路により抽出されたＩＤ番号が、設定したＩＤ番号と一致しているかを判定するＩＤ番号管理部と、ＩＤ番号管理部によりＩＤ番号が不一致であると判定された場合に、光パッチケーブルの誤接続を通知する通知部とを備え、変調回路は、光受信検出回路により検出された光レベルに基づいて受信ポートで光信号の受信が断状態であると判定した場合に、当該光信号に、対応する送信ポートのＩＤ番号を重畳するものである。
【発明の効果】
【００１２】
この発明によれば、上記のように構成したので、光分波機能部により分波された光信号を光減衰する光減衰部と、光減衰部を用いて、光信号に、対応する送信ポートのＩＤ番号を重畳する変調回路と、受信ポートを介して受信した光信号の光レベルを検出する光受信検出回路と、光受信検出回路により検出された光レベルからＩＤ番号を抽出する復調回路と、復調回路により抽出されたＩＤ番号が、設定したＩＤ番号と一致しているかを判定するＩＤ番号管理部と、ＩＤ番号管理部によりＩＤ番号が不一致であると判定された場合に、光パッチケーブルの誤接続を通知する通知部とを備え、変調回路は、前記光受信検出回路により検出された光レベルに基づいて前記受信ポートで光信号の受信が断状態であると判定した場合に、当該光信号に、対応する送信ポートのＩＤ番号を重畳することで、光号分波部の送受信ポートを任意に設定することが可能なＯＡＤＭ装置においても、安価な方法で光パッチケーブルの誤接続を検出することができ、装置の迅速な設営や万が一の障害からの復旧時間の短縮に寄与することができる。
【図面の簡単な説明】
【００１３】
【図１】この発明の実施の形態１に係るＯＡＤＭ装置の構成を示す図である。
【図２】この発明の実施の形態１に係るＯＡＤＭ装置のＩＤ番号の重畳を説明する図である。
【図３】この発明の実施の形態１に係るＯＡＤＭ装置の基本動作を示すフローチャートである。
【図４】この発明の実施の形態１に係るＯＡＤＭ装置の接続状態判定動作を示すフローチャートである。
【図５】この発明の実施の形態２に係るＯＡＤＭ装置のＩＤ番号の重畳を説明する図である。
【図６】この発明の実施の形態４に係るＯＡＤＭ装置のＩＤ番号の重畳を説明する図である。
【発明を実施するための形態】
【００１４】
以下、この発明の実施の形態について図面を参照しながら詳細に説明する。
実施の形態１．
図１はこの発明の実施の形態１に係るＯＡＤＭ装置１の構成を示す図である。
ＯＡＤＭ装置１は、図１に示すように、受信光増幅部２、信号送信部（ＴＸ）３、信号受信部（ＲＸ）４、光合分波部５および送信光増幅部６から構成される。
【００１５】
受信光増幅部２は、伝送路１０１を介して上流のＯＡＤＭ装置（不図示）から受信した波長多重光信号に対して、伝送路１０１による光レベルの損失に応じて、光増幅を行うものである。この受信光増幅部２により光増幅された波長多重光信号は光パッチケーブル１０を介して光合分波部５に送信される。
【００１６】
信号送信部３は、特定の波長の光信号を光パッチケーブル１２を介して光合分波部５に送信するものである。なお、信号送信部３では、送信する光信号に、対応する送信ポートのＩＤ番号を重畳している。
信号受信部４は、光合分波部５により分波された特定の波長の光信号を光パッチケーブル１３を介して受信するものである。なお、信号受信部４では、受信した光信号の光レベルを検出して、ＩＤ番号を抽出している。この抽出したＩＤ番号は後述するＩＤ番号管理部９１に送信される。
【００１７】
光合分波部５は、光パッチケーブル１０を介して受信光増幅部２から受信した波長多重光信号を合分波するものである。この光合分波部５は、光分波部７、光合波部８および装置制御部９から構成される。
【００１８】
光分波部７は、光パッチケーブル１０を介して受信光増幅部２から受信した波長多重光信号を分波するものである。この光分波部７は、波長選択スイッチ（ＷＳＳ、光分波機能部）７１、第１可変光減衰部（ＶＯＡ）７２、第２可変光減衰部（ＶＯＡ）７３、減衰部制御回路７４および変調回路７５から構成される。
【００１９】
波長選択スイッチ７１は、光パッチケーブル１０を介して受信光増幅部２から受信した波長多重光信号を各波長の光信号に分波し、特定波長（波長ａ）の光信号を抽出して、特定波長以外の波長の光信号を再び波長多重化するものである。この波長選択スイッチ７１により抽出された特定波長の光信号は第１可変光減衰部７２に送信され、特定波長以外の波長の波長多重光信号は第２可変光減衰部７３に送信される。
【００２０】
第１可変光減衰部７２は、光レベルの補正、運用開始前の回線の遮断などの目的で、減衰部制御回路７４による制御に従い、波長選択スイッチ７１から受信した光信号を光減衰するものである。この第１可変光減衰部７２により光減衰された光信号は光パッチケーブル１３を介して信号受信部４に送信される。
【００２１】
第２可変光減衰部７３は、光レベルの補正、運用開始前の回線の遮断などの目的で、減衰部制御回路７４による制御に従い、波長選択スイッチ７１から受信した波長多重光信号を光減衰するものである。この第２可変光減衰部７３により光減衰された波長多重光信号は光パッチケーブル１４を介して光合波部８に送信される。
【００２２】
減衰部制御回路７４は、可変光減衰部７２，７３の光減衰量を制御するものである。この減衰部制御回路７４は、一般的にはＦＰＧＡ（Ｆｉｅｌｄ  Ｐｒｏｇｒａｍｍａｂｌｅ  Ｇａｔｅ  Ａｒｒａｙ）などで構成され、装置制御部９のＣＰＵへのインタフェース機能も有している。
【００２３】
変調回路７５は、可変光減衰部７２，７３を用いて、波長多重光信号および光信号に、対応する送信ポートのＩＤ番号を振幅変調（ＡＳＫ：Ａｍｐｌｉｔｕｄｅ−ｓｈｉｆｔ  ｋｅｙｉｎｇ）により重畳するものである。
なお、このＩＤ番号は、使用する送信ポート数を表現可能なビット数を有すれば良いため、極めて低レートな信号で伝送することが可能である（例えば、ポート数が３２ポートの場合、２進数で表現すると５ビット＋誤りチェックビットで実現することが可能である）。
【００２４】
図２はこの発明の実施の形態１に係るＯＡＤＭ装置１のＩＤ番号の重畳を説明する（ａ）波長選択スイッチ７１出力を示す図であり、（ｂ）変調回路７５出力を示す図であり、（ｃ）光分波部７出力を示す図である。
図２（ａ）に示す波長選択スイッチ７１からの波長多重光信号および光信号に対して、図２（ｂ）に示す変調回路７５による振幅変調を行うことによって、図２（ｃ）に示すように、対応する送信ポートのＩＤ番号を重畳することができる。
なお、減衰部制御回路７４では、外乱により装置外部から受信される光信号に対して、この外乱の影響を小さくするために変動量を補正する制御も行っている。そのため、ＯＡＤＭ装置１は、可変光減衰部７２，７３出力に若干の変動があっても問題とならないように設計されている。したがって、図２に示すように、意図的に可変光減衰部７２，７３を用いて波長多重光信号および光信号に対して、定められた規定内の光レベルの変動を行なったとしても問題はない。
【００２５】
また、光合波部８は、光パッチケーブル１２を介して信号送信部３から受信した光信号と、光パッチケーブル１４を介して光分波部７から受信した波長多重光信号とを合波するものである。この光合波部８は、第１光分岐回路８１、第２光分岐回路８２、波長選択スイッチ（ＷＳＳ、光分波機能部）８３、光受信検出回路８４および復調回路８５から構成される。
【００２６】
第１光分岐回路８１は、光パッチケーブル１２を介して信号送信部３から受信した特定の波長の光信号を分岐するものである。この第１光分岐回路８１により分岐された一方の光信号は波長選択スイッチ８３に送信され、他方の光信号は光受信検出回路８４に送信される。
【００２７】
第２光分岐回路８２は、光パッチケーブル１４を介して光分波部７から受信した波長多重光信号を分岐するものである。この第２光分岐回路８２により分岐された一方の波長多重光信号は波長選択スイッチ８３に送信され、他方の波長多重光信号は光受信検出回路８４に送信される。
【００２８】
波長選択スイッチ８３は、第１光分岐回路８１から受信した光信号と第２光分岐回路８２から受信した波長多重光信号とを合波するものである。この波長選択スイッチ８３により合波された波長多重光信号は光パッチケーブル１１を介して送信光増幅部６に送信される。
【００２９】
光受信検出回路８４は、第１光分岐回路８１から受信した光信号および第２光分岐回路８２から受信した波長多重光信号の光レベルを検出する光受光素子を有するものである。この光受信検出回路８４は、ＦＰＧＡなどで構成され、装置制御部９のＣＰＵへのインタフェース機能も有している。
なお、光受信検出回路８４が有する光受光素子は、振幅に対するダイナミックレンジを有していればよく、極めて安価な部品を使用できるため、低コストで実現可能とすることが可能である。
【００３０】
復調回路８５は、光受信検出回路８４により検出された光レベルからＩＤ番号を抽出するものである。この復調回路８５により抽出されたＩＤ番号は装置制御部９に送信される。
【００３１】
装置制御部９は、ＯＡＤＭ装置１全体を管理するものであり、減衰部制御回路７４および光受信検出回路８４の信号処理・制御などを行うものである。この装置制御部９は、ＩＤ番号管理部９１を備えている。また、装置制御部９は、ＩＤ番号管理部９１によるＩＤ番号の不一致判定に応じて、保守運用者にＴＩＭ（Ｔｒａｃｅ  Ｉｄｅｎｔｉｆｉｅｒ  Ｍｉｓｍａｔｃｈ）あるいはファイバ断警報として通知を行う通知部としての機能も有している。
【００３２】
ＩＤ番号管理部９１は、復調回路８５および信号受信部４により抽出されたＩＤ番号と、予め設定した期待値（ＩＤ番号）とを比較して両者が一致しているかを判定するものである。ここで、ＩＤ番号管理部９１はＩＤ番号と期待値とが不一致であると判定した場合には、装置制御部９にその旨を通知する。
【００３３】
送信光増幅部６は、波長選択スイッチ８３から受信した波長多重光信号を光合分波部５による光レベルの損失に応じて光増幅するものである。この送信光増幅部６により光増幅された波長多重光信号は伝送路１０２を介して下流のＯＡＤＭ装置（不図示）に送出される。
【００３４】
次に、上記のように構成されたＯＡＤＭ装置１の基本動作について説明する。図３はこの発明の実施の形態１に係るＯＡＤＭ装置１の基本動作を示すフローチャートである。
ＯＡＤＭ装置１の基本動作は、図３に示すように、まず、受信光増幅部２は、伝送路１０１を介して上流のＯＡＤＭ装置から受信した波長多重光信号を伝送路１０１による光レベルの損失に応じて光増幅する（ステップＳＴ３１）。この受信光増幅部２により光増幅された波長多重光信号は光パッチケーブル１０を介して波長選択スイッチ７１に送信される。
【００３５】
次いで、波長選択スイッチ７１は、光パッチケーブル１０を介して受信光増幅部２から受信した波長多重光信号を、特定波長の光信号と、それ以外の波長の波長多重光信号とに分波する（ステップＳＴ３２）。この波長選択スイッチ７１により抽出された特定波長の光信号は第１可変光減衰部７２に送信され、特定波長以外の波長の波長多重光信号は第２可変光減衰部７３に送信される。
【００３６】
次いで、可変光減衰部７２，７３は、減衰部制御回路７４による制御に従い、波長選択スイッチ７１から受信した波長多重光信号および光信号を光減衰する（ステップＳＴ３３）。なお、可変光減衰部７２，７３は、光減衰を行う際に、変調回路７５によって、波長多重光信号および光信号に、対応する送信ポートのＩＤ番号を振幅変調により重畳する。この可変光減衰部７２，７３により光減衰され、ＩＤ番号が重畳された光信号は光パッチケーブル１３を介して信号受信部４に送信され、波長多重光信号は光パッチケーブル１４、第２光分岐回路８２を介して波長選択スイッチ８３に送信される。
【００３７】
次いで、波長選択スイッチ８３は、光パッチケーブル１２を介して信号送信部３から受信した光信号と、光分波部７から受信した波長多重光信号とを合波する（ステップＳＴ３４）。この波長選択スイッチ８３により合波された波長多重光信号は光パッチケーブル１１を介して送信光増幅部６に送信される。なお、信号送信部３から受信した光信号にも、対応する送信ポートのＩＤ番号が重畳されている。
【００３８】
次いで、送信光増幅部６は、波長選択スイッチ８３から受信した波長多重光信号を光合分波部５による光レベルの損失に応じて光増幅し、伝送路１０２を介して下流のＯＡＤＭ装置に送出する（ステップＳＴ３５）。
【００３９】
次に、ＯＡＤＭ装置１の接続状態判定動作について説明する。図４はこの発明の実施の形態１に係るＯＡＤＭ装置１の接続状態判定動作を示すフローチャートである。
ＯＡＤＭ装置１の接続状態判定動作では、図４に示すように、まず、光受信検出回路８４は、第１光分岐回路８１から受信した光信号および第２光分岐回路８２から受信した波長多重光信号の光レベルを検出する（ステップＳＴ４１）。この光受信検出回路８４により検出された光レベルを示すデータは復調回路８５に送信される。
【００４０】
次いで、復調回路８５は、光受信検出回路８４により検出された光レベルからＩＤ番号を抽出する（ステップＳＴ４２）。この復調回路８５により抽出されたＩＤ番号はＩＤ番号管理部９１に送信される。なお、信号受信部４でも、受信した光信号の光レベルを検出して、ＩＤ番号を抽出している。この信号受信部４により抽出されたＩＤ番号もＩＤ番号管理部９１に送信される。
【００４１】
次いで、ＩＤ番号管理部９１は、復調回路８５および信号受信部４により抽出されたＩＤ番号と予め設定した期待値とを比較して両者が一致しているかを判定する（ステップＳＴ４３）。
【００４２】
このステップＳＴ４３において、ＩＤ番号管理部９１がＩＤ番号と期待値とが一致していると判定した場合には、シーケンスは終了する。
一方、ステップＳＴ４３において、ＩＤ番号管理部９１がＩＤ番号と期待値とが不一致であると判定した場合には、光パッチケーブルが誤接続であると判定して、装置制御部９は、保守運用者にＴＩＭあるいはファイバ断警報として通知する（ステップＳＴ４４）。
【００４３】
以上のように、この実施の形態１によれば、可変光減衰部７２，７３を用いて、波長多重光信号および光信号に対応する送信ポートのＩＤ番号を振幅変調により重畳して、このＩＤ番号の一致判定を行うように構成したので、光合分波部５の送受信ポートを任意に設定することが可能なＯＡＤＭ装置１においても、安価な方法で光パッチケーブル１２〜１４の誤接続を検出することができ、装置の迅速な設営や万が一の障害からの復旧時間の短縮に寄与することができる。また、コストアップを回避しつつ、保守性の向上を図ることが可能となる。
【００４４】
なお、実施の形態１では、ＩＤ番号管理部９１によりＩＤ番号が不一致であると判定された場合に、装置制御部９により保守運用者に対してその旨を通知するように構成したが、減衰部制御回路７４または光受信検出回路８４などにより通知するように構成してもよい。
【００４５】
実施の形態２．
実施の形態１では、光信号に、対応する送信ポートのＩＤ番号を振幅変調により重畳する場合について示した。この方法では、ＯＡＤＭ装置１の設計上は問題ないが、わずかながらとはいえ伝送性能を劣化させる可能性がある。そこで、実施の形態２では、ＯＡＤＭ装置１の建設時や障害復旧時などのように、受信ポートで波長多重光信号または光信号の受信が断状態から復旧した際にのみ、光パッチケーブル１２〜１４の接続状態の判定を行うように構成したものについて示す。
なお、この実施の形態２に係るＯＡＤＭ装置１の構成は、図１に示す実施の形態１に係るＯＡＤＭ装置１と同様の構成であり、以下図１を参照しながら説明を行う。
【００４６】
図５はこの発明の実施の形態２に係るＯＡＤＭ装置１のＩＤ番号の重畳を説明する（ａ）波長選択スイッチ７１出力を示す図であり、（ｂ）変調回路７５出力を示す図であり、（ｃ）光分波部７出力を示す図である。
以下では、光パッチケーブル１４の接続状態判定について説明する。
変調回路７５は、光受信検出回路８４により検出された光レベルに基づいて、受信ポートで波長多重光信号の受信が断状態であると判定した場合に、図５に示すように、可変光減衰部７３を用いて、波長多重光信号に、対応する送信ポートのＩＤ番号をＯＮ／ＯＦＦ変調により重畳する。
【００４７】
その後、受信ポートで波長多重光信号の受信が断状態から復旧すると、復調回路８６は、この波長多重光信号の光レベルからＩＤ番号を抽出することが可能となる。
次いで、ＩＤ番号管理部９１は、復調回路８５により抽出されたＩＤ番号と設定された期待値とを比較して両者が一致しているかを判定する。また、ＩＤ番号管理部９１は、ＩＤ番号の一致判定が終了した際に変調回路７５に対して、ＩＤ番号の重畳を終了する旨を示すＩＤ番号重畳終了通知を行う。
変調回路７５は、ＩＤ番号管理部９からＩＤ番号重畳終了通知を受信した場合には、ＩＤ番号の重畳を終了する。
【００４８】
また、光パッチケーブル１２，１３の接続状態判定についても同様に、受信ポートで光信号の受信が断状態となった場合にＩＤ番号の重畳を行うことで、受信ポートで光信号の断状態から復旧した場合にのみＩＤ番号の一致判定が行われる。
【００４９】
以上のように、この実施の形態２によれば、受信ポートで波長多重光信号（光信号）の受信が断状態である場合に、可変光減衰部７３（７２）を用いて、波長多重光信号（光信号）に、対応する送信ポートのＩＤ番号をＯＮ／ＯＦＦ変調により重畳して、受信ポートで波長多重光信号（光信号）の受信が断状態から復旧した際にのみＩＤ番号の一致判定を行うように構成したので、光合分波部５の送受信ポートを任意に設定することが可能なＯＡＤＭ装置１においても、安価な方法で光パッチケーブル１２〜１４の誤接続を検出することができ、装置の迅速な設営や万が一の障害からの復旧時間の短縮に寄与することができる。また、コストアップを回避しつつ、保守性の向上を図ることが可能となる。
また、この場合のシーケンス制御は、ＦＰＧＡあるいはＣＰＵにてＳ／Ｗ制御にて行われるが、簡易な制御であるため、新たな部品への変更などは必要なく、安価で実現可能である。
【００５０】
実施の形態３．
実施の形態１では、図１に示すように光合分波部５は１段で構成されているが、この光合分波部５が２段以上設けられたｎ段構成となる場合も考えられる。
このようなｎ段構成の光合分波部５を有する場合であっても、そもそも可変光減衰部７２，７３は光レベルの変動を抑制する制御を行っているため、前段の光合分波部５によってＩＤ番号が重畳された波長多重光信号の光レベル変動は抑制される。そのため、前段の光合分波部５においてＩＤ番号の重畳を行った波長多重光信号に対して、後段の光合分波部５においてさらにＩＤ番号の重畳を行うことも可能である。なお、この段数ｎは、光レベルの減衰量の許容範囲内において定めることができる。
【００５１】
実施の形態４．
実施の形態２では、図１に示すように光合分波部５は１段で構成されているが、この光合分波部５が２段以上設けられたｎ段構成となる場合も考えられる。
このようなｎ段構成の光合分波部５を有する場合であっても、図６に示すように、ＩＤ番号を順に時分割多重することによって、各段の光合波部８でのＩＤ番号の抽出が可能である。なお、この段数ｎは、ＩＤ番号管理部９１がＩＤ番号の一致判定が終了した際に変調回路７５に対してＩＤ番号送信終了通知を行うことによって、システム内で任意に定めることが可能である。
【符号の説明】
【００５２】
１  ＯＡＤＭ装置、２  受信光増幅部、３  信号送信部、４  信号受信部、５  光合分波部、６  送信光増幅部、７  光分波部、８  光合波部、９  装置制御部（通知部）、１０〜１４  光パッチケーブル、７１  波長選択スイッチ（光合波機能部）、７２  第１可変光減衰部、７３  第２可変光減衰部、７４  減衰部制御回路（通知部）、７５  変調回路、８１  第１光分岐回路、８２  第２光分岐回路、８３  波長選択スイッチ（光分波機能部）、８４  光受信検出回路（通知部）、８５  復調回路、９１  ＩＤ番号管理部、１０１，１０２  伝送路。
【手続補正２】
【補正対象書類名】特許請求の範囲
【補正対象項目名】全文
【補正方法】変更
【補正の内容】
【特許請求の範囲】
【請求項１】
受信した光信号に対して分波を行い、光パッチケーブルが接続された送信ポートを介して光信号を送信する光分波機能部と、前記光パッチケーブルが接続された受信ポートを介して受信した光信号に対して合波を行う光合波機能部とからなる光合分波部を備えたＯＡＤＭ装置において、
前記光合分波部は、
前記光分波機能部により分波された光信号を光減衰する光減衰部と、
前記光減衰部を用いて、前記光信号に、対応する前記送信ポートのＩＤ番号を重畳する変調回路と、
前記受信ポートを介して受信した光信号の光レベルを検出する光受信検出回路と、
前記光受信検出回路により検出された光レベルからＩＤ番号を抽出する復調回路と、
前記復調回路により抽出されたＩＤ番号が、設定したＩＤ番号と一致しているかを判定するＩＤ番号管理部と、
前記ＩＤ番号管理部によりＩＤ番号が不一致であると判定された場合に、前記光パッチケーブルの誤接続を通知する通知部と
を備え、
前記変調回路は、前記光受信検出回路により検出された光レベルに基づいて前記受信ポートで光信号の受信が断状態であると判定した場合に、当該光信号に、対応する送信ポートのＩＤ番号を重畳する
ことを特徴とするＯＡＤＭ装置。
【請求項２】
前記光合分波部は複数段接続され、
各段の前記光減衰部は、前段の変調回路によってＩＤ番号が重畳された光信号の光レベル変動を抑制する
ことを特徴とする請求項１記載のＯＡＤＭ装置。
【請求項３】
前記光合分波部は複数段接続され、
各段の前記変調回路は、前記光信号にＩＤ番号を時分割多重する
ことを特徴とする請求項１記載のＯＡＤＭ装置。
【国際調査報告】
2011161891.tif 000009
2011161891.tif 000010
2011161891.tif 000011
2011161891.tif 000012